(57)【要約】原稿走行方向に対し透過板１の端部１ａ，１ｂを面取りし、透過板１の下面に凹部１１ａ，１１ｂを設けて凹部に筐体４を配設して、小切手や紙幣等の原稿が紙詰まりすることを防止するとともに容易に装置組み立てができ、搬送装置の信頼性を得て、より高速な読取りを可能としたものである。
2003084210.tif 000002
【特許請求の範囲】
【請求項１】
透過板上の原稿を照射する光源と、
上記原稿からの反射光あるいは透過光を集光して光情報を出力する光学系と、
出力された光情報を電気信号に変換する光電変換部と、
少なくとも上記透過板、上記光学系、および上記光電変換部を収容する筐体とを有し、
原稿走行方向に対し上記透過板の端部が面取りされていることを特徴とする画像読取装置。
【請求項２】
透過板が筐体に設けた凹部にはめ合わされたことを特徴とする請求の範囲第１項記載の画像読取装置。
【請求項３】
原稿走行方向に対し筐体の端部が面取りされていることを特徴とする請求の範囲第２項記載の画像読取装置。
【請求項４】
原稿走行方向に対し透過板の面取りされた端部と相対する筐体の端部が面取りされていることを特徴とする請求の範囲第２項記載の画像読取装置。
【請求項５】
原稿走行方向に対し透過板の面取りされた端部と相対する筐体の端部が面取りされていることを特徴とする請求の範囲第３項記載の画像読取装置。
【請求項６】
透過板の面取りされた端部の面取り角度が１０度から４０度までであることを特徴とする請求の範囲第５項記載の画像読取装置。
【請求項７】
透過板の面取りされた端部の一部に切り欠き部が設けられ、上記切り欠き部の端部が原稿走行方向に対し面取りされていることを特徴とする請求の範囲第１項記載の画像読取装置。
【請求項８】
光学系が透過板上の原稿を透過した光を集光することを特徴とする請求の範囲第７項記載の画像読取装置。
【請求項９】
切り欠き部が透過板の下面まで達していないことを特徴とする請求の範囲第７項記載の画像読取装置。
【請求項１０】
切り欠き部が透過板の下面まで達していないことを特徴とする請求の範囲第８項記載の画像読取装置。
【請求項１１】
透過板の下面に筐体との位置決め箇所を設け、上記筐体と上記透過板とを固定したことを特徴とする請求の範囲第７項記載の画像読取装置。
【請求項１２】
透過板の上面に原稿走行方向に延在する溝を設けたことを特徴とする請求の範囲第７項記載の画像読取装置。
【請求項１３】
透過板の上面に原稿走行方向に延在する溝を設けたことを特徴とする請求の範囲第８項記載の画像読取装置。
【請求項１４】
透過板の上面に原稿走行方向に延在するガイド部としての突起部を設けたことを特徴とする請求の範囲第７項記載の画像読取装置。
【請求項１５】
透過板の上面に原稿走行方向に延在するガイド部としての突起部を設けたことを特徴とする請求の範囲第８項記載の画像読取装置。
【請求項１６】
透過板の上面に突起部を設け、上記突起部を光源にはめ合わせたことを特徴とする請求の範囲第８項記載の画像読取装置。
【請求項１７】
透過板の下面に凹部を設け、上記凹部に筐体を配設したことを特徴とする請求の範囲第１項記載の画像読取装置。
【請求項１８】
透過板の下面に突起部を設け、上記突起部を筐体にはめ合わせたことを特徴とする請求の範囲第１項記載の画像読取装置。
【請求項１９】
透過板と筐体との接触部分に接着材を充填したことを特徴とする請求の範囲第１８項記載の画像読取装置。
【発明の詳細な説明】
技術分野
この発明は、画像読取装置に関し、より詳しくは例えば小切手や紙幣を読取る改良された画像読取装置に関するものである。
背景技術
第１図は、例えば特許公報第２７６８８６６号に示された従来の画像読取装置の断面図であり、図において、８は読取り原稿、７は光電変換素子６を直線状に配設した光電変換部、３は原稿８を一様照明するためのライン光源、２は光源用基板上に一列に配列された複数個の発光素子で、例えば発光ダイオード（ＬＥＤ）チップで構成される。１４は原稿８の下に位置する、例えばガラス板からなる透過板で、光量の偏差を改善する凹凸部を有する。５は原稿８上の濃淡情報を光電変換素子６上に正立等倍結像するための光学系（ロッドレンズアレイ）、４は光電変換部７、ライン光源３、透過板１４、および光学系５を収納して画像読取装置を構成する筐体である。
次に動作について説明する。
原稿８は透過板１４上を搬送され、光源３により一様に照射される。そして、原稿８からの反射光は筐体４内に保持固定された光学系（ロッドレンズアレイ）５によって、光電変換素子部６上に正立等倍結像され、電気信号に変換後増幅されて光電変換出力が得られる。また、第１図の画像読取装置は、例えばファクシミリ装置に見かけることができ、通常原稿の大きさはＡ４等のサイズで、読取り速度も比較的遅く、原稿の走行方向も一方向のみの装置であり、また、読取り原稿そのものが折れていたり、一部分が破れていたりするものはめったにない。
第２図は従来の画像読取装置の筐体４と透過板１４との位置関係を示した断面の拡大図であり、第２図（ａ）は透過板１４が筐体４より高い場合、第２図（ｂ）は透過板１４が筐体４と同じ高さの理想的な場合、第２図（ｃ）は透過板１４が筐体４より低い場合をそれぞれ示している。第２図中の矢印は原稿走行方向であり、９は透過板１４に原稿８を押圧し搬送するローラである。そして、第２図（ａ）あるいは第２図（ｃ）のように原稿搬送方向に筐体４と透過板１４に段差があると、８ｂや８ｄのごとく原稿の先端が引っ掛かって原稿の搬送がうまくいかないことになる。また、第２図（ｂ）のように透過板１４が筐体４と同じ高さであるような理想的な組み立ては実際上非常に難しく、またローラ９での原稿搬送方向が矢印の通り一方向のみであるため、実際には原稿先端を透過板１４上面にあて、第２図（ａ）のように透過板１４を筐体４より高くして原稿の先端が引っ掛からずにスムーズな原稿搬送ができる装置構成にしている。
ところで、近年このような従来の画像読取装置を元に、小切手や競馬等の投票カードなどを原稿８として読取りを行う画像読取装置が製作されるようになり、ファクシミリ装置より約２倍以上の高速な読取りが求められるとともに、誤った原稿を挿入された方向へもう一度戻すという双方向の原稿搬送が必要とされてきており、原稿の詰まらない安定した走行構造が望まれている。さらに、紙幣８０を原稿８として読取りを行う画像読取装置も出始めてきており、紙幣８０の折れ曲がりや紙幣８０の一部の破れによりうまく読取れない場合や紙幣以外の原稿（偽札を含む）が挿入された場合には、やはり紙幣８０を挿入された方向に戻すという双方向の原稿搬送が必要とされている。
第３図は、従来の画像読取装置を示す断面図である。図において、１０ａ，１０ｂ，１１ａ，１１ｂは搬送ローラであり、１２ａ，１２ｂは原稿搬送ガイドである。１３は樹脂であり、１５は原稿通過ガイドである。
この紙幣８０を読取る画像読取装置は、ファクシミリ装置より少なくとも５倍以上の高速な読取りが必要とされるため、第３図に示す通り、原稿搬送用ローラ９の代わりに原稿通過ガイド１５を透過板１４上に設け、透過板１４の前後に配置した原稿搬送ガイド１２ａ，１２ｂに沿うように、透過板１４から浮かした紙幣８０を、その原稿ガイド１２，１５の前後に配置された搬送ローラ１０ａ，１０ｂ，１１ａ，１１ｂによって高速搬送させる構成をとることになる。
第４図は紙幣の透過光情報を読取る従来の画像読取装置の断面図である。第４図の画像読取装置は、第３図における筐体４内部の光源の代わりに、原稿通過ガイド１５内部に透過光源１７を配置して、紙幣の透過光情報を読取るものであり、この画像読取装置は第３図と光源の位置が違うのみで、読取り動作は同じである。
透過板１４と原稿搬送ガイド１２ａ，１２ｂに段差があると、この原稿となる紙幣８０がその段差部分に詰まったり、破れたりするので、透過板１４の前後で原稿搬送ガイド１２ａ，１２ｂを段差がないように精度良く常温硬化タイプ等の樹脂１３を充填して組み立てなければならない。また、装置稼動中に動作環境の熱による影響が樹脂１３の接着力を低下させる等の問題で、原稿搬送ガイド１２ａ，１２ｂがずれて、透過板１４との間に段差が生じたり、あるいは樹脂１３のひび割れが発生したりすることがないように対策をこうずる必要があり、環境温度差による透過板１４、原稿搬送ガイド１２ａ，１２ｂ、筐体４等各部品の熱膨張差の影響を考慮した装置設計、組み立て、さらに樹脂１３の材料選定や硬化方法の検討が必要である。
その上、透過板１４が例えばガラス板の場合、その厚み公差は±０．２ｍｍ程度であり、原稿搬送ガイド１２ａ，１２ｂがポリカーボネート等からなる成形品の場合、その高さ公差は±０．３ｍｍ程度であり、組み立てる装置毎に高さ調整を行い、かつ、それらの部品の平行度、平面度を考慮して装置内に困難な手作業で取り付け、樹脂１３を充填し組み込ませなければならなかった。したがって、こうした装置では原稿の詰まりに対して装置の信頼性が低いという課題を抱えており、紙幣が詰まった時に装置をメインテナンスする人員を常に近くに配置しなければならなかった。また、こうした装置で紙幣を高速搬送すると、搬送時の風力の影響で紙幣が曲がって走行する場合もあるために、高速読取りができないなどの課題があった。
さらに、古い紙幣ほど紙屑が多くこれらの微小屑が細かいごみとなり、透過板１４と原稿搬送ガイド１２の間に樹脂１３が十分に充填されなかった場合や、樹脂１３がひび割れた場合に、両者の隙間を経由して筐体１４と透過板１４の間から微小屑が筐体１４内に入る可能性があり、光学系５や光電変換素子６の上に付着した場合には読取り不具合を生じさせたりしていた。したがって、透過板１４と筐体４との接触部分に隙間なく、ひび割れ等も発生しないように完全な全面接着封止を行わなければならないという課題があった。
従来の画像読取装置は以上のように構成されているので、小切手や紙幣等の読取りには原稿の双方向搬送における原稿の詰まりを防止することが必要で、特に紙幣搬送では原稿搬送ガイド１２ａ，１２ｂと透過板１４との段差がないような設計、組み立てが必要であるという課題があった。また、装置の組み立てが難しい、また、装置の信頼性が低い、という紙幣搬送に伴う問題を解決するために紙幣の読取速度を上げられない、あるいは微小屑が入らないようにするために必要とされる透過板１４と筐体４との完全封止が難しいなどの課題があった。
この発明は上記のような課題を解決するためになされたもので、小切手や紙幣等の原稿が紙詰まりすることを防止するとともに容易に装置組み立てができ、搬送装置の信頼性を得て、より高速な読取りを可能とする画像読取装置を得ることを目的とする。
また、この発明は、透過板と筐体との隙間からごみが侵入することを防止し、かつ、容易に装置組み立てができる画像読取装置を得ることを目的とする。
発明の開示
この発明に係る画像読取装置は、透過板上の原稿を照射する光源と、原稿からの反射光あるいは透過光を集光して光情報を出力する光学系と、出力された光情報を電気信号に変換する光電変換部と、少なくとも透過板、光学系、および光電変換部を収容する筐体とを有し、原稿走行方向に対し透過板の端部が面取りされているものである。
このことによって、高速搬送による原稿のばたつきがあっても原稿詰まりのない正常な搬送動作および読取り動作が可能な効果がある。
この発明に係る画像読取装置は、透過板が筐体に設けた凹部にはめ合わされたものである。
このことによって、高速搬送による原稿のばたつきがあっても原稿詰まりのない正常な搬送動作および読取り動作が可能な効果がある。
この発明に係る画像読取装置は、原稿走行方向に対し筐体の端部が面取りされているものである。
このことによって、高速搬送による原稿のばたつきがあっても原稿詰まりのない正常な搬送動作および読取り動作が可能な効果がある。
この発明に係る画像読取装置は、原稿走行方向に対し透過板の面取りされた端部と相対する筐体の端部が面取りされているものである。
このことによって、透過板の水平面から面取り部に沿って搬送された場合でも原稿の詰まりを防止できる効果がある。
この発明に係る画像読取装置は、透過板の面取りされた端部の面取り角度が１０度から４０度までであるものである。
このことによって、原稿の接触抵抗を下げて高速な搬送動作および読取り動作が可能な効果がある。
この発明に係る画像読取装置は、透過板の面取りされた端部の一部に切り欠き部が設けられ、切り欠き部の端部が原稿走行方向に対し面取りされているものである。
このことによって、高速な搬送および読取り動作が可能な上、装置組立が容易となり、装置の信頼性も向上する効果がある。
この発明に係る画像読取装置は、光学系が透過板上の原稿を透過した光を集光するものである。
このことによって、紙幣の表面と裏面を同時に読取る高速な読取り動作が可能な上、装置組立が容易となり、装置の信頼性も向上する効果がある。
この発明に係る画像読取装置は、切り欠き部が透過板の下面まで達していないものである。
このことによって、微小屑が筐体内に入りにくくなると共に装置組立がさらに容易となる効果がある。
この発明に係る画像読取装置は、透過板の下面に筐体との位置決め箇所を設け、筐体と透過板とを固定したものである。
このことによって、透過板と筐体の組立精度が向上し、高速搬送がより確実となる効果がある。
この発明に係る画像読取装置は、透過板の上面に原稿走行方向に延在する溝を設けたものである。
このことによって、装置内に生ずる気圧差を少なくし、搬送速度を上げる効果がある。
この発明に係る画像読取装置は、透過板の上面に原稿走行方向に延在するガイド部としての突起部を設けたものである。
このことによって、紙幣が斜めに搬送されるのを防止する効果がある。
この発明に係る画像読取装置は、透過板の上面に突起部を設け、突起部を光源にはめ合わせたものである。
このことによって、筐体と透過光源の組立がさらに容易となる効果がある。
この発明に係る画像読取装置は、透過板の下面に凹部を設け、凹部に筐体を配設したものである。
このことによって、透過板と筐体の組立がさらに容易となる効果がある。
この発明に係る画像読取装置は、透過板の下面に突起部を設け、突起部を筐体にはめ合わせたものである。
このことによって、透過板と筐体の組立がさらに容易となる効果がある。
この発明に係る画像読取装置は、透過板と筐体との接触部分を接着したものである。
このことによって、透過板と筐体との隙間がなく、小切手や紙幣等の微小屑が混入することを防止できる効果がある。
発明を実施するための最良の形態
以下、この発明をより詳細に説明するために、この発明を実施するための最良の形態について、添付の図面に従って説明する。
実施の形態１．
第５図は、この発明の実施の形態１における画像読取装置および原稿搬送を示す断面図である。第５図において、８は小切手などの読取り原稿、７は光電変換素子６を直線状に配設した光電変換部、３は原稿８を一様照明するためのライン光源で、複数個の発光素子２、例えば発光ダイオード（ＬＥＤ）チップを光源用基板上に一列に配列して構成される。１は原稿８の下に位置する、例えばガラス板からなる面取りされた透過板で、該透過板は原稿走行方向の両側に、その端部を面取りした部分１ａ，１ｂが形成されている。５は原稿８上の濃淡情報を光電変換素子６上に正立等倍結像するための光学系（ロッドレンズアレイ）、４は光電変換部７、ライン光源３、透過板１、光学系５を収納して画像読取装置を構成する筐体である。９は原稿８を矢印の方向へ（第５図では右から左へ）搬送するためのローラである。
次に動作について説明する。
光源３により一様に照射された原稿８からの反射光は、筐体４内に保持固定された光学系（ロッドレンズアレイ）５によって、光電変換部７の光電変換素子６上に正立等倍結像され、電気信号に変換後増幅されて光電変換出力が得られる。そして、高速搬送によって読取り原稿８がばたついて、第５図中の８ａの位置にあっても透過板１の面取り部１ａに沿って搬送され、ローラ９へ到達することで正常な搬送動作が可能となり、ひいては高速な読取り動作が可能となる。
そして、第５図では透過板１の面取り部を、原稿走行方向の端部に１ａ，１ｂのごとく設けることで、双方向の原稿搬送にも対応可能としている。また、面取り角度は、原稿８のサイズや搬送速度、あるいは透過板１のサイズ等にて最適に決定すればよいことはいうまでもない。
以上のように、この実施の形態１の画像読取装置は、透過板１上の原稿８を照射する光源３と、原稿８からの反射光あるいは透過光を集光して光情報を出力する光学系５と、出力された光情報を電気信号に変換する光電変換部７と、少なくとも透過板１、光学系５、および光電変換部７を収容する筐体４とを有し、原稿走行方向に対し透過板１の端部１ａ，１ｂが面取りされているものである。
以上で明らかなように、この実施の形態１によれば、原稿走行方向に対して透過板の端部が面取りされているように構成したので、高速搬送による原稿のばたつきがあっても原稿詰まりのない正常な搬送動作および読取り動作が可能な効果を奏する。
実施の形態２．
第６図は、この発明の実施の形態２における画像読取装置および原稿搬送を示す断面図であり、第７図は第６図の画像読取装置における原稿８の逆方向への搬送を示す断面図である。実施の形態１との違いは、両端部に面取り部１ａ，１ｂを設けた透過板１を筐体４に設けた凹部４１ａ，４１ｂにはめ合わせたことである。
次に動作について説明する。
原稿８を読取る動作については、実施の形態１と同様なので説明を省略する。そして、実施の形態１との違いは、透過板１と筐体４の位置関係で、筐体４より透過板１の面取り部１ａのエッジが低くなるように配置したため、原稿８が８ｂの位置にあっても筐体４、透過板１の面取り部１ａに沿って搬送することができる。また、第７図のように前述の正常な搬送動作と逆方向に筐体４から透過板１の面取り部１ｂに沿って、破線の矢印の方向へと搬送することが可能となる。
実施の形態２では、第６図に示すように、透過板１を筐体４に設けた凹部４１ａ，４１ｂにはめ合わせることにより、透過板１の面取り部１ａのエッジが筐体４の上面より低くなるようにして、筐体４の上面に沿って前進する原稿８の先端が面取り部１ａのエッジに接する垂直な面にぶつからないようにした。
こうして、実施の形態２では実施の形態１と比べて原稿８のばたつきが大きくても原稿８の搬送、読取り動作ならびに逆方向への搬送が高速でも可能となる。
以上のように、この実施の形態２の画像読取装置は、透過板１上の原稿８を照射する光源３と、原稿８からの反射光あるいは透過光を集光して光情報を出力する光学系５と、出力された光情報を電気信号に変換する光電変換部７と、少なくとも透過板１、光学系５、および光電変換部７を収容する筐体４とを有し、原稿走行方向に対し透過板１の端部１ａ，１ｂが面取りされていて、透過板１が筐体４に設けた凹部４１ａ，４１ｂにはめ合わされたものである。
以上で明らかなように、この実施の形態２によれば、原稿走行方向に対し透過板の端部が面取りされ、かつ、該透過板が筐体に設けた凹部にはめ合わされているように構成したので、高速搬送による原稿のばたつきがあっても原稿詰まりのない正常な搬送動作および読取り動作が可能な効果を奏する。
実施の形態３．
第８図は、この発明の実施の形態３における画像読取装置および原稿搬送を示す断面図である。実施の形態２との違いは、筐体４の形状であり、原稿走行方向の両端部に面取り部４ａ，４ｂを設けたことである。
次に動作について説明する。
原稿８を読取る動作については、実施の形態２と同様なので説明を省略する。そして、実施の形態２との違いは筐体４に面取り部４ａが形成されているので、８ｂの位置にある原稿８が筐体４の側面に突き当たって生ずる原稿の詰まりを防止して筐体４から透過板１ならびにローラ９への搬送を可能としていることである。
こうして、実施の形態３では、実施の形態２と比べて原稿８のばたつきが大きくても原稿８の搬送、読取り動作ならびに逆方向への搬送が高速でも可能となる。
以上のように、この実施の形態３の画像読取装置は、透過板１上の原稿８を照射する光源３と、原稿８からの反射光あるいは透過光を集光して光情報を出力する光学系５と、出力された光情報を電気信号に変換する光電変換部７と、少なくとも透過板１、光学系５、および光電変換部７を収容する筐体４とを有し、原稿走行方向に対し透過板１の端部１ａ，１ｂが面取りされていて、透過板１が筐体４に設けた凹部４１ａ，４１ｂにはめ合わされ、原稿走行方向に対し筐体４の端部４ａ，４ｂが面取りされているものである。
以上で明らかなように、この実施の形態３によれば、原稿走行方向に対し透過板の端部および筐体端部が面取りされているように構成したので、高速搬送による原稿のばたつきがあっても原稿詰まりのない正常な搬送動作および読取り動作が可能な効果を奏する。
実施の形態４．
第９図および第１０図は、この発明の実施の形態４における画像読取装置の断面図である。実施の形態２および実施の形態３との違いは、透過板１の面取り部１ａ，１ｂに相対する位置に筐体４の面取り部４ｃ，４ｄを設けたことである。
次に動作について説明する。
原稿８を読取る動作については、実施の形態２および実施の形態３と同様なので説明を省略する。そして、実施の形態２および実施の形態３との違いは透過板１の面取り部１ａ，１ｂのエッジがそれぞれ筐体４の面取り部４ｃ，４ｄより高くなるので（第９図および第１０図における距離ａがａ≧０となる）ので、読取り後の原稿８の先端が面取り部１ｂに沿って搬送されたり、あるいは逆方向への搬送時に原稿８の終端が面取り部１ａ側に沿って搬送される場合でも、筐体４に引っ掛かって生ずる原稿の詰まりを防止できることである。
以上のように、この実施の形態４の画像読取装置は、透過板１上の原稿８を照射する光源３と、原稿８からの反射光あるいは透過光を集光して光情報を出力する光学系５と、出力された光情報を電気信号に変換する光電変換部７と、少なくとも透過板１、光学系５、および光電変換部７を収容する筐体４とを有し、原稿走行方向に対し透過板１の端部１ａ，１ｂが面取りされていて、透過板１が筐体４に設けた凹部４１ａ，４１ｂにはめ合わされているものである。
この実施の形態４の画像読取装置は、さらに原稿走行方向に対し透過板１の面取りされた端部１ａ，１ｂと相対する筐体１の端部４ｃ，４ｄが面取りされているものである。
以上で明らかなように、この実施の形態４によれば、原稿走行方向に対し透過板の面取りされた端部と相対する筐体端部が面取りされているように構成したので、透過板の水平面から面取り部に沿って搬送された場合でも原稿の詰まりを防止できる効果を奏する。
実施の形態５．
第１１図は、この発明の実施の形態５における画像読取装置および原稿搬送を示す断面図である。実施の形態４との違いは、透過板１の面取り部１ａ，１ｂの面取り角度を１０度から４０度以内としたことである。
次に動作について説明する。
原稿８を読取る動作については、実施の形態４と同様なので説明を省略する。そして、実施の形態４との違いは、透過板１の面取り部１ａ，１ｂの面取り角度を１０度から４０度以内としたので、実施の形態４より原稿の接触抵抗がさらに小さくなりスムーズな搬送を可能とし、高速な搬送・読取り動作を可能とすることである。
そして、上述の面取り角度を１０度以下にしても搬送時の接触抵抗はほとんど変わらず、透過板１自体の幅だけが大きくなり、ひいては画像読取装置の大型化を招く結果となる。
以上のように、この実施の形態５の画像読取装置は、透過板１上の原稿８を照射する光源３と、原稿８からの反射光あるいは透過光を集光して光情報を出力する光学系５と、出力された光情報を電気信号に変換する光電変換部７と、少なくとも透過板１、光学系５、および光電変換部７を収容する筐体４とを有し、原稿走行方向に対し透過板１の端部１ａ，１ｂが面取りされていて、透過板１が筐体４に設けた凹部４１ａ，４１ｂにはめ合わされ、原稿走行方向に対し筐体４の端部４ａ，４ｂが面取りされていて、原稿走行方向に対し透過板１の面取りされた端部１ａ，１ｂと相対する筐体１の端部４ｃ，４ｄが面取りされていて、透過板１の面取りされた端部１ａ，１ｂの面取り角度が１０度から４０度までであるものである。
以上で明らかなように、この実施の形態５によれば、原稿走行方向に対して少なくとも透過板の端部が面取りされ、かつ、透過板の面取り角度が１０度から４０度以内としたので、原稿の接触抵抗を下げて高速な搬送動作および読取り動作が可能な効果を奏する。
実施の形態６．
第１２図は、この発明の実施の形態６における画像読取装置の斜視図であり、第１３図は、第１２図の画像読取装置および紙幣搬送を示す断面図である。第１２図および第１３図において、８０は読取り原稿となる紙幣であり、７は光電変換素子６を直線状に配設した光電変換部であり、３は紙幣８０を一様照明するためのライン光源で、複数個の発光素子２、例えば発光ダイオード（ＬＥＤ）チップを光源用基板上に一列に配列して構成される。１は紙幣８０の下に位置する、例えばガラス板からなる面取りと切欠きがなされた透過板で、該透過板は紙幣走行方向の両側に、その端部を面取りした部分１ｃと切欠いてさらに面取りした部分１ｄが形成されている。
５は紙幣８０上の濃淡情報を光電変換素子６上に正立等倍結像するための光学系（ロッドレンズアレイ）、４は光電変換部７、ライン光源３、透過板１、光学系５を収納して画像読取装置を構成する筐体であり、１６ａ，１６ｂは透過板１の端部を面取りした部分１ｃと切欠いてさらに面取りした部分１ｄと相互に組合わせ配置される面取り部分を備えた組合わせ原稿搬送ガイドである。組合わせ原稿搬送ガイド１６ａおよび組合わせ原稿搬送ガイド１６ｂは、透過板１の幅方向の長さとほぼ一致する幅を有する。
次に動作について説明する。
従来例と同様に、光源３により一様に照射された紙幣８０からの反射光は、筐体４内に保持固定された光学系（ロッドレンズアレイ）５によって、光電変換部７の光電変換素子６上に正立等倍結像され、電気信号に変換後増幅されて光電変換出力が得られる。
第２８図は、この実施の形態６における画像読取装置の透過板１と組合せ原稿ガイド１６ａ（１６ｂ）の作用を表す斜視図であり、第２８図（ａ）は、切欠いてさらに面取りした部分が設けられていない透過板１および組合せ原稿ガイド１６ａ（１６ｂ）の斜視図であり、第２８図（ｂ）は切欠いてさらに面取りした部分が設けられた透過板１および組合せ原稿ガイド１６ａ（１６ｂ）の斜視図である。
第２８図（ａ）に示すように透過板１および組合せ原稿ガイド１６ａ（１６ｂ）に切欠いてさらに面取りした部分が設けられていない場合、紙幣８０の先端が全幅にわたって同時に透過板１の面取り部１ａに当たり、紙詰まることがある。
これに対して、この実施の形態６では第２８図（ｂ）に示すように、透過板１および組合せ原稿ガイド１６ａ（１６ｂ）に切欠いてさらに面取りした部分を設けたので、紙幣８０の先端の一部分が透過板１の面取り部１ｃに当たっているときに、紙幣８０の先端のその他の部分は透過板１の切り欠いてさらに面取りされた部分１ｄに達していなく、また、紙幣８０のその他の部分が透過板１の切り欠いてさらに面取りされた部分１ｄに当たっているときは紙幣８０の一部分はすでに透過板１の面取り部分１ｃを乗り越えて通過している。
したがって、透過板１と組合わせ原稿搬送ガイド１６にそれぞれ相互に設けられた面取り部によって、紙幣８０の先端が全幅にわたって同時に紙詰まることが防止されて、高速な搬送が可能となり、ひいては高速な読取り動作が可能となる。また、装置組立の際に、透過板１と等しいか、あるいは少し低い位置に組合わせ原稿搬送ガイド１６を配置するだけでよく、原稿搬送ガイドと透過板の高さを合わせてその隙間を樹脂によって充填する必要がないため、装置組立が容易となり、装置の信頼性も向上する。
なお、第１２図および第１３図では該透過板１の切欠き箇所１ｄを、紙幣走行方向の端部に相対するように２個ずつ設けているが、発明者の試みた範囲では折れ曲がったり、一部破れた紙幣等では、切欠き箇所が１個で詰まったりすることもまれにあったが、３個以上であればより効果的であった。ただし、切欠き箇所が多いほど、該透過板１、組合わせ原稿搬送ガイド１６ａ，１６ｂの製造が難しくなり、相互の取り付けも難しくなった。したがって、切欠き箇所の個数や位置あるいは面取り角度は、紙幣８０のサイズや搬送速度あるいは該透過板１上での搬送位置、透過板１のサイズ等にて最適に決定すればよいことはいうまでもない。
以上のように、この実施の形態６の画像読取装置は、透過板１上の紙幣８０を照射する光源３と、紙幣８０からの反射光あるいは透過光を集光して光情報を出力する光学系５と、出力された光情報を電気信号に変換する光電変換部７と、少なくとも透過板１、光学系５、および光電変換部７を収容する筐体４とを有し、原稿走行方向に対し面取りされた透過板１の端部１ｃの一部に切り欠き部１ｄが設けられ、切り欠き部１ｄの端部が原稿走行方向に対し面取りされているものである。
以上で明らかなように、この実施の形態６によれば、原稿走行方向に対し透過板の端部が面取りされ、かつ、該面取り部の一部に切欠き部を備え、該切欠き部の端部の面取り部分に原稿搬送ガイドをはめ合わせるように構成したので、高速な搬送および読取り動作が可能な上、装置組立が容易となり、装置の信頼性も向上する効果を奏する。
実施の形態７．
第１４図は、この発明の実施の形態７における透過光源を用いた画像読取装置および紙幣搬送を示す断面図である。第１４図において、８０は読取り原稿となる紙幣、７は光電変換素子６を直線状に配設した光電変換部、１７は紙幣８０上に配置した原稿通過ガイド１５内の透過光源で、紙幣８０を一様照射するために複数個の発光素子２、例えば発光ダイオード（ＬＥＤ）チップを光源用基板上に一列に配列して構成される。１は紙幣８０の下に位置する、例えばガラス板からなる透過板で、該透過板は紙幣走行方向の両側に、その端部を面取りした部分１ｃと切欠いてさらに面取りした部分１ｄが形成されている。５は紙幣８０上の濃淡情報を光電変換素子６上に正立等倍結像するための光学系（ロッドレンズアレイ）、４は光電変換部７、ライン光源３、透過板１、光学系５を収納して画像読取装置を構成する筐体であり、１６ａ，１６ｂは上記透過板の端部を面取りした部分１ｃと切欠いてさらに面取りした部分１ｄと相互に組合わせ配置される面取り部分を備えた組合わせ原稿搬送ガイドである。
次に動作について説明する。
紙幣８０を搬送する動作については、実施の形態６と同様であり、違いは光源の位置が異なっていることである。こうした透過光源１７を用いた場合は紙幣８０を透かして情報を読取ることができ、紙幣８０の表面、裏面の特殊情報を同時に読取ることが可能なため、実施の形態１と比べてより高速な紙幣読取りが可能となる。また、紙幣８０が折れ曲がっていたり、一部が破れていたりする場合でも紙幣８０を即時に認識可能で、読取り不具合として紙幣８０の挿入された方向へ逆向きに搬送させることができる。
なお、透過光源１７からの紙幣８０の透過光情報と、実施の形態６に使用した光源３からの紙幣８０の反射光情報にて、紙幣８０を読取っても同様な効果が得られることはいうまでもない。
以上のように、この実施の形態７の画像読取装置は、透過板１上の紙幣８０を照射する光源１７と、紙幣８０からの透過光を集光して光情報を出力する光学系５と、出力された光情報を電気信号に変換する光電変換部７と、少なくとも透過板１、光学系５、および光電変換部７を収容する筐体４とを有し、原稿走行方向に対し面取りされた透過板１の端部１ｃの一部に切り欠き部１ｄが設けられ、切り欠き部１ｄの端部が原稿走行方向に対し面取りされていて、光学系５が透過板１上の紙幣８０を透過した光を集光するものである。
以上で明らかなように、この実施の形態７によれば、原稿走行方向に対し透過板の端部が面取りされ、かつ、該面取り部の一部に切欠き部を備え、該切欠き部の端部の面取り部分に原稿搬送ガイドをはめ合わせるように構成したので、紙幣の表面と裏面を同時に読取る高速な読取り動作が可能な上、装置組立が容易となり、装置の信頼性も向上する効果を奏する。
実施の形態８．
第１５図はこの発明の実施の形態８における画像読取装置の斜視図であり、第１６図は第１５図の画像読取装置および紙幣搬送を示す断面図である。発明の実施の形態６との違いは、透過板１の形状と組合わせる原稿搬送ガイドの形状である。第１６図において、１は切欠き部分が１ｅのように透過板下面まで達していない透過板、１６ａ，１６ｂは該透過板１の段差部分に組合わせる原稿搬送ガイドである。
次に動作について説明する。
紙幣８０を搬送する動作については、実施の形態６および実施の形態７と同様なので説明を省略する。実施の形態６および実施の形態７との動作の違いは該透過板１の下面に筐体４が位置するので、紙幣８０の微小屑が該透過板１と筐体４の間から入りにくいこと、該透過板１が筐体４より広いため筐体４への組立が容易であり、原稿搬送ガイド１６ａ，１６ｂを該透過板１の段差部分にて乗せるだけでよく、画像読取装置の組立がさらに容易なことである。
以上のように、この実施の形態８の画像読取装置は、透過板１上の紙幣８０を照射する光源３と、紙幣８０からの反射光あるいは透過光を集光して光情報を出力する光学系５と、出力された光情報を電気信号に変換する光電変換部７と、少なくとも透過板１、光学系５、および光電変換部７を収容する筐体４とを有し、原稿走行方向に対し面取りされた透過板１の端部１ｃの一部に設けられた切り欠き部１ｅが透過板１の下面まで達していないものである。
以上で明らかなように、この実施の形態８によれば、透過板の下面まで達していない切欠き部に原稿搬送ガイドを乗せてはめ合わせるように構成したので、微小屑が筐体内に入りにくくなると共に装置組立がさらに容易となる効果を奏する。
実施の形態９．
第１７図はこの発明の実施の形態９における画像読取装置の斜視図であり、第１８図はこの発明の実施の形態９における画像読取装置の側面図である。実施の形態６および実施の形態７との違いは、透過板１の下面に該透過板１の位置決め箇所１ｆと筐体４の位置決め箇所４ｅを設けたことである。
次に動作について説明する。
紙幣８０を搬送する動作については、実施の形態６および実施の形態７と同様なので説明を省略する。実施の形態６および実施の形態７との動作の違いは、例えば第１８図に示すように透過板１の下面に設けた突起部からなる位置決め箇所１ｆと凹部からなる筐体位置決め箇所４ｅと合わせることで、筐体４に透過板１を容易に組合わせることができ、該透過板１と筐体４との組立平行度等の組立精度も向上し、紙幣８０の搬送方向に対して該透過板１の面取り方向と紙幣８０の幅方向の精度が高められ、紙幣８０のより確実な搬送を可能としている。
なお、第１８図において、該透過板１の突起部からなる位置決め箇所１ｆと凹部からなる筐体位置決め箇所４ｅはそれぞれ円柱状を一例として示しているが、位置決め箇所の個数や位置、その形状が限定されるものではないことはいうまでもない。
以上のように、この実施の形態９の画像読取装置は、透過板１上の紙幣８０を照射する光源３と、紙幣８０からの反射光あるいは透過光を集光して光情報を出力する光学系５と、出力された光情報を電気信号に変換する光電変換部７と、少なくとも透過板１、光学系５、および光電変換部７を収容する筐体４とを有し、原稿走行方向に対し面取りされた透過板１の端部１ｃの一部に切り欠き部１ｄが設けられ、切り欠き部１ｄの端部が原稿走行方向に対し面取りされていて、透過板１の下面に筐体４との位置決め箇所１ｆを設け、筐体４と透過板１とを固定したものである。
以上で明らかなように、この実施の形態９によれば、透過板の下面に筐体との位置決め箇所を設け筐体と透過板を固定するように構成したので、透過板と筐体の組立精度が向上し、高速搬送がより確実となる効果を奏する。
実施の形態１０．
第１９図は、この発明の実施の形態１０における画像読取装置の斜視図であり、実施の形態６との違いは、紙幣搬送方向に透過板１上面に溝１ｇを設けたことである。
次に動作について説明する。
紙幣８０を搬送する動作については、実施の形態６と同様なので説明を省略する。実施の形態６では第１３図に示す透過板１と原稿通過ガイド１５の間隔が紙幣８０の通過できる程度の狭い隙間しかないので、紙幣８０が高速搬送されて通過する度に画像読取装置内に気圧差が生じてしまい、次に読込む紙幣８０が搬送困難になってしまう。このため、気圧差が紙幣搬送に影響しない程度しか紙幣８０の搬送速度を上げられなかったが、実施の形態１０において、紙幣搬送方向に透過板１上面に溝１ｇを設けることで、この気圧差を少なくすることができ、紙幣８０の搬送速度を上げることができる。
なお、第１９図では２箇所に溝を形成したものを示しているが、そうした溝の位置は紙幣８０の透かしなどの所望の情報を入手する場所以外に設ければよく、また、溝の位置や深さ、その形状を特定するものではなく、紙幣８０の搬送に伴って発生する気圧差をなくすことができるものであればよいことはいうまでもない。
以上のように、この実施の形態１０の画像読取装置は、透過板１上の紙幣８０を照射する光源３と、紙幣８０からの反射光あるいは透過光を集光して光情報を出力する光学系５と、出力された光情報を電気信号に変換する光電変換部７と、少なくとも透過板１、光学系５、および光電変換部７を収容する筐体４とを有し、原稿走行方向に対し面取りされた透過板１の端部１ｃの一部に切り欠き部１ｄが設けられ、切り欠き部１ｄの端部が原稿走行方向に対し面取りされていて、透過板１の上面に原稿走行方向に延在する溝１ｇを設けたものである。
以上で明らかなように、この実施の形態１０によれば、透過板上面に原稿搬送方向に溝を設けたので、装置内に生ずる気圧差を少なくし、搬送速度を上げる効果を奏する。
実施の形態１１．
第２０図は、この発明の実施の形態１１における画像読取装置の上面図であり、実施の形態６との違いは紙幣搬送方向にガイドとなる突起部１ｈを透過板１上に設けたことである。
次に動作について説明する。
紙幣８０を搬送する動作については、実施の形態６と同様なので説明を省略する。実施の形態６では、紙幣８０をより高速に搬送しようとすると、透過板１と原稿通過ガイド１５との間で、紙幣８０が所望の搬送位置からずれて、斜めに搬送されてしまう読取り不具合が発生する。こうした問題を解消するために、実施の形態１１では、透過板１の上面に紙幣８０の幅が通過するようなガイド部を設け、紙幣８０が斜めに搬送されることを防止するものである。
以上のように、この実施の形態１１の画像読取装置は、透過板１上の紙幣８０を照射する光源３と、紙幣８０からの反射光あるいは透過光を集光して光情報を出力する光学系５と、出力された光情報を電気信号に変換する光電変換部７と、少なくとも透過板１、光学系５、および光電変換部７を収容する筐体４とを有し、原稿走行方向に対し面取りされた透過板１の端部１ｃの一部に切り欠き部１ｄが設けられ、切り欠き部１ｄの端部が原稿走行方向対し面取りされていて、透過板１の上面に原稿走行方向に延在するガイド部としての突起部１ｈを設けたものである。
以上で明らかなように、この実施の形態１１によれば、透過板上面に原稿走行方向にガイド部としての突起部を設けたので、紙幣が斜めに搬送されるのを防止する効果を奏する。
実施の形態１２．
第２１図は、この発明の実施の形態１２における画像読取装置の側面図であり、第２２図は、この発明の実施の形態１２における画像読取装置内光学系と透過光源の相対位置と光電変換部の出力との関係を示す図である。実施の形態７との違いは、透過板１に突起部１１と透過光源１７に凹部１７ａを設けたことである。
次に動作について説明する。
紙幣８０を搬送する動作については、実施の形態７と同様なので説明を省略する。実施の形態７において、画像読取装置内光学系５と透過光源１７の相対位置と光電変換部７の出力との関係を第２２図に示す。第２２図（ａ）のように画像読取装置内の光学系５の真上に透過光源１７がある場合、光電変換部７の出力は第２２図（ｃ）の１８ａとなる。ところが、第２２図（ｂ）のように画像読取装置内の光学系５の真上から透過光源１７がずれた場合、光電変換部７の出力は第２２図（ｃ）の１８ｂのようになり、両側の出力が減少しＳ／Ｎが下がることで読取品質が劣化する。
したがって、画像読取装置内の光学系５の真上に透過光源１７を位置合わせして組立を行わなければならないが、実施の形態１２では透過板１に突起部１ｉを設け、さらに透過光源１７に設けた凹部１７ａにはめ合わせることで、画像読取装置内の光学系５の真上に合わせて透過光源１７を容易に組立てることができるものである。
以上のように、この実施の形態１２の画像読取装置は、透過板１上の紙幣８０を照射する光源１７と、紙幣８０からの透過光を集光して光情報を出力する光学系５と、出力された光情報を電気信号に変換する光電変換部７と、少なくとも透過板１、光学系５、および光電変換部７を収容する筐体４とを有し、原稿走行方向に対し面取りされた透過板１の端部１ｃの一部に切り欠き部１ｄが設けられ、切り欠き部１ｄの端部が原稿走行方向に対し面取りされていて、光学系５が透過板１上の紙幣８０を透過した光を集光し、透過板１の上面に突起部１ｉを設け、突起部１ｉを光源１７にはめ合わせたものである。
以上で明らかなように、この実施の形態１２によれば、透過板上面に突起部を設け、該突起部を透過光源にはめ合わせるように構成したので、筐体と透過光源の組立がさらに容易となる効果を奏する。
実施の形態１３．
第２３図および第２４図は、この発明の実施の形態１３における画像読取装置の断面図であり、実施の形態１との違いは透過板１の下面に凹部１１ａ，１１ｂを設け、該凹部に筐体４を配設したことである。
次に動作について説明する。
原稿８を搬送する動作については、実施の形態１と同様なので説明を省略する。実施の形態１３では、実施の形態１の画像読取装置において透過板１の下面に凹部１１ａ，１１ｂを設けたので、該凹部に筐体４を位置合わせして容易に画像読取装置を組立てることができる。
以上のように、この実施の形態１３の画像読取装置は、透過板１上の原稿８を照射する光源３、１７、原稿８からの反射光あるいは透過光を集光して光情報を出力する光学系５と、出力された光情報を電気信号に変換する光電変換部７と、少なくとも透過板１、光学系５、および光電変換部７を収容する筐体４とを有し、原稿走行方向に対し透過板１の端部１ａ，１ｂが面取りされていて、透過板１の下面に凹部１１ａ，１１ｂを設け、凹部１１ａ，１１ｂに筐体４を配設したものである。
以上で明らかなように、この実施の形態１３によれば、透過板下面に凹部を設け該凹部に筐体を配設したので、透過板と筐体の組立がさらに容易となる効果を奏する。
実施の形態１４．
第２５図は、この発明の実施の形態１４における画像読取装置の断面図である。実施の形態１との違いは、透過板１の下面に凸部１２ａ，１２ｂを設け、該凸部１２ａ，１２ｂを筐体４の凹部４２ａ，４２ｂにはめ込むようにしたことである。
次に動作について説明する。
原稿８を搬送する動作については、実施の形態１と同様なので説明を省略する。実施の形態１４では、実施の形態１の画像読取装置において透過板１の下面に凸部１２ａ，１２ｂを設け、筐体４の凹部４２ａ，４２ｂとはめ合わせたので、該透過板１を筐体４に位置合わせし容易に画像読取装置を組立てることができる。
なお、実施の形態１４において、透明板１の下面に凸部１２ａ，１２ｂを設け筐体４の凹部４１ａ，４２ｂとはめ合わせることを実施の形態１の画像読取装置に適用したが、その他の実施の形態の画像読取装置に適用しても同様な効果を奏することはいうまでもない。また、透過板１と筐体４との隙間がなく、小切手や紙幣等の微小屑がより入りにくい効果を奏する。
第２６図は、この発明の実施の形態１４における画像読取装置の断面図である。第２５図の画像読取装置との違いは、透過板１の下面に凸部を設け筐体４の凹部とはめ合わせる代わりに、逆に該透過板１の下面に凹部１３ａ，１３ｂを設け筐体４に設けられた凸部４３ａ，４３ｂにはめ合わせるようにしたことである。第２６図に示す構成によっても、第２５図に示す構成と同様の効果を奏する。
以上のように、この実施の形態１４の画像読取装置は、透過板１上の原稿８を照射する光源３、１７と、原稿８からの反射光あるいは透過光を集光して光情報を出力する光学系５と、出力された光情報を電気信号に変換する光電変換部７と、少なくとも透過板１、光学系５、および光電変換部７を収容する筐体４とを有し、原稿走行方向に対し透過板１の端部１ａ，１ｂが面取りされていて、透過板１の下面に突起部１２ａ，１２ｂを設け、突起部１２ａ，１２ｂを筐体４にはめ合わせたものである。
以上で明らかなように、この実施の形態１４によれば、透過板下面に突起部を設け、該突起部を筐体にはめ合わせるように構成したので、透過板と筐体の組立がさらに容易となる効果を奏する。
実施の形態１５．
第２７図は、この発明の実施の形態１５における画像読取装置の断面図である。実施の形態１４との違いは、透過板１の下面に凸部、また筐体４に凹部を設け両者の間に接着材２０を充填し、はめ合わせたことである。
次に動作について説明する。
紙幣８０を搬送する動作については、実施の形態１４と同様なので説明を省略する。実施の形態１５において、透過板１の下面に凸部を設け、該凸部に筐体４をはめ込み、両者の間に隙間なく接着材２０を充填し接着するので、透過板１と筐体４との間には隙間がなく、小切手や紙幣等の微小屑が混入することを防止できる。
なお、実施の形態１５では、透過板１の下面に凸部を設け該凸部に筐体４をはめ込み、隙間なく両者の間に接着材を充填し接着することを実施の形態１４の画像読取装置に適用したが、その他の実施の形態に適用しても同様な効果を奏することはいうまでもない。
以上のように、この実施の形態１５の画像読取装置は、透過板１上の原稿８を照射する光源３、１７と、原稿８からの反射光あるいは透過光を集光して光情報を出力する光学系５と、出力された光情報を電気信号に変換する光電変換部７と、少なくとも透過板１、光学系５、および光電変換部７を収容する筐体４とを有し、原稿走行方向に対し透過板１の端部１ａ，１ｂが面取りされていて、透過板１の下面に突起部１２ａ，１２ｂを設け、突起部１２ａ，１２ｂを筐体４にはめ合わせ、透過板と筐体との接触部分に接着材２０を充填したものである。
以上で明らかなように、この実施の形態１５によれば、透過板と筐体との接触部分を接着したので、透過板と筐体との隙間がなく、小切手や紙幣等の微小屑が混入することを防止できる効果を奏する。
産業上の利用可能性
以上のように、この発明に係る画像読取装置は、小切手や紙幣等の高速な読取り、原稿の双方向搬送による高速な読取り、原稿からの反射光および透過光による両面の高速な読取り、および透過板と筐体とのすきまからのごみの侵入のない高速な読取り等に適している。
【図面の簡単な説明】
第１図は従来の画像読取装置の断面図である。
第２図は従来の画像読取装置の筐体と透過板との位置関係を示した断面の拡大図であり、第２図（ａ）は透過板が筐体より高い場合、第２図（ｂ）は透過板が筐体と同じ高さの理想的な場合、第２図（ｃ）は透過板が筐体より低い場合をそれぞれ示している。
第３図は紙幣の反射光情報を読取る従来の画像読取装置を示す断面図である。
第４図は紙幣の透過光情報を読取る従来の画像読取装置の断面図である。
第５図はこの発明の実施の形態１における画像読取装置および原稿搬送を示す断面図である。
第６図はこの発明の実施の形態２における画像読取装置および原稿搬送を示す断面図である。
第７図は第６図の画像読取装置における原稿の逆方向への搬送を示す断面図である。
第８図はこの発明の実施の形態３における画像読取装置および原稿搬送を示す断面図である。
第９図はこの発明の実施の形態４における画像読取装置の断面図である。
第１０図はこの発明の実施の形態４における画像読取装置の断面図である。
第１１図はこの発明の実施の形態５における画像読取装置および原稿搬送を示す断面図である。
第１２図はこの発明の実施の形態６における画像読取装置の斜視図である。
第１３図は第１２図の画像読取装置および紙幣搬送を示す断面図である。
第１４図はこの発明の実施の形態７における透過光源を用いた画像読取装置および紙幣搬送を示す断面図である。
第１５図はこの発明の実施の形態８における画像読取装置の斜視図である。
第１６図は第１５図の画像読取装置および紙幣搬送を示す断面図である。
第１７図はこの発明の実施の形態９における画像読取装置の斜視図である。
第１８図この発明の実施の形態９における画像読取装置の側面図である。
第１９図はこの発明の実施の形態１０における画像読取装置の斜視図である。
第２０図はこの発明の実施の形態１１における画像読取装置の上面図である。
第２１図はこの発明の実施の形態１２における画像読取装置の側面図である。
第２２図はこの発明の実施の形態１２における画像読取装置内光学系と透過光源の相対位置と光電変換部の出力との関係を示す図である。
第２３図はこの発明の実施の形態１３における画像読取装置の断面図である。
第２４図はこの発明の実施の形態１３における画像読取装置の断面図である。
第２５図はこの発明の実施の形態１４における画像読取装置の断面図である。
第２６図はこの発明の実施の形態１４における画像読取装置の断面図である。
第２７図はこの発明の実施の形態１５における画像読取装置の断面図である。
第２８図はこの実施の形態６における画像読取装置の透過板１と組合せ原稿ガイド１６ａ（１６ｂ）の作用を表す斜視図であり、第２８図（ａ）は、切欠いてさらに面取りした部分が設けられていない透過板１および組合せ原稿ガイド１６ａ（１６ｂ）の斜視図であり、第２８図（ｂ）は切欠いてさらに面取りした部分が設けられた透過板１および組合せ原稿ガイド１６ａ（１６ｂ）の斜視図である。
【図１】
2003084210.tif 000003
【図２】
2003084210.tif 000004
【図３】
2003084210.tif 000005
【図４】
2003084210.tif 000006
【図５】
2003084210.tif 000007
【図６】
2003084210.tif 000008
【図７】
2003084210.tif 000009
【図８】
2003084210.tif 000010
【図９】
2003084210.tif 000011
【図１０】
2003084210.tif 000012
【図１１】
2003084210.tif 000013
【図１２】
2003084210.tif 000014
【図１３】
2003084210.tif 000015
【図１４】
2003084210.tif 000016
【図１５】
2003084210.tif 000017
【図１６】
2003084210.tif 000018
【図１７】
2003084210.tif 000019
【図１８】
2003084210.tif 000020
【図１９】
2003084210.tif 000021
【図２０】
2003084210.tif 000022
【図２１】
2003084210.tif 000023
【図２２】
2003084210.tif 000024
【図２３】
2003084210.tif 000025
【図２４】
2003084210.tif 000026
【図２５】
2003084210.tif 000027
【図２６】
2003084210.tif 000028
【図２７】
2003084210.tif 000029
【図２８】
2003084210.tif 000030
【国際調査報告】
2003084210.tif 000031
2003084210.tif 000032
2003084210.tif 000033
2003084210.tif 000034